(57)【要約】【課題】用紙に識別子等を設けることなく、用紙の特定および追記位置を指定することのできる画像形成装置を提供する。【解決手段】取得手段で取得されて次回に印刷する印刷情報に基づいて印刷を実行する際に、判定手段で紙紋情報が一致すると判定された場合には、格納手段に格納されている印刷情報に関する情報に基づいて、用紙に次回に印刷する印刷情報に基づいて印刷を実行し、両紙紋情報が不一致であると判定された場合には印刷を中止するように制御する制御手段を備える。【選択図】図１
2012187725.tif 000002
【特許請求の範囲】
【請求項１】
印刷情報を取得する取得手段と、
該取得手段で取得した印刷情報に基づいて、用紙に対して印刷を実行する実行手段と、
該実行手段で印刷を実行する際に、印刷に使用する用紙の表面および裏面の少なくとも一方から紙紋情報を読取る読取手段と、
前記実行手段による印刷実行後に、前記印刷情報に関する情報と関連付けして前記紙紋情報を格納する格納手段と、
該格納手段に格納されている前記紙紋情報と、次回に印刷を実行する際に使用する用紙について前記読取手段で読み取られる他の紙紋情報との一致、不一致を判定する判定手段と、
前記取得手段で取得されて次回に印刷する印刷情報に基づいて印刷を実行する際に、前記判定手段で前記両紙紋情報が一致すると判定された場合には、前記格納手段に格納されている前記印刷情報に関する情報に基づいて、前記用紙に前記次回に印刷する印刷情報に基づいて印刷を実行し、前記両紙紋情報が不一致であると判定された場合には印刷を中止するように制御する制御手段と、
を備えることを特徴とする画像形成装置。
【請求項２】
前記印刷情報に関する情報は、
当該印刷情報による印刷の終端位置に関する情報または次回の印刷の開始位置に関する情報の少なくとも何れかを含むことを特徴とする請求項１に記載の画像形成装置。
【請求項３】
請求項１または請求項２の何れかに記載の少なくとも１の画像形成装置と、
通信手段を介して前記画像処理装置と接続される少なくとも１の情報処理装置と、
から構成されることを特徴とする画像形成システム。
【請求項４】
印刷情報を取得する取得過程と、
該取得過程で取得した印刷情報に基づいて、用紙に対して印刷を実行する実行過程と、
印刷に使用する用紙の表面および裏面の少なくとも一方から紙紋情報を読取る読取過程と、
前記実行過程による印刷実行後に、前記印刷情報に関する情報と関連付けして前記紙紋情報を格納する格納過程と、
格納されている前記紙紋情報と、次回に印刷を実行する際に使用する用紙について前記読取過程で読み取られる他の紙紋情報との一致、不一致を判定する判定過程と、
前記取得過程で取得されて次回に印刷する印刷情報に基づいて印刷を実行する際に、前記判定過程で前記両紙紋情報が一致すると判定された場合には、格納されている前記印刷情報に関する情報に基づいて、前記用紙に前記次回に印刷する印刷情報に基づいて印刷を実行し、前記両紙紋情報が不一致であると判定された場合には印刷を中止するように制御する制御過程と、
を演算手段で実行することを特徴とする処理プログラム。
【発明の詳細な説明】
【技術分野】
【０００１】
本発明は、画像形成装置、画像形成システムおよび処理プログラムに関するものである。
【背景技術】
【０００２】
複数人が共有する紙文書、例えば、医療カルテ、看護記録、実験記録などの紙文書（以降、単にカルテ等と記載する）は、例えば１枚の用紙に対して、様々なコメント、検査結果、実験結果などが順次追記印刷されるという特徴を有する。
【０００３】
このようなカルテ等にあっては、上記特徴から、次回に印刷を実行する際に、当該カルテ等の用紙のどの位置に追記印刷するのかをプリンタ等の画像形成装置に指示する必要があった。
【０００４】
カルテ等に対して追記印刷を行う操作を実現する技術としては、特開平８−２３０２５８号公報、特許第３１２７０９１号公報、特開２００１−２３９７１６号公報、特開２００４−１６０７４３号公報等に、特定のマーキング（パンチホールやバーコード等）を付与した用紙を使用して、印刷時にマーキング情報更新し、次回の追記位置を明らかにする技術、特定のマーキング（バーコード）を付与した用紙を使用して、マーキング情報と印刷余白領域とを関連づけて次回の追記位置を特定する技術などが開示されている。
【先行技術文献】
【特許文献】
【０００５】
【特許文献１】特開平８−２３０２５８号公報
【特許文献２】特許第３１２７０９１号公報
【特許文献３】特開２００１−２３９７１６号公報
【特許文献４】特開２００４−１６０７４３号公報
【発明の概要】
【発明が解決しようとする課題】
【０００６】
本発明は、用紙に識別子等を設けることなく、用紙の特定および追記位置を指定することのできる画像形成装置、画像形成システムおよび処理プログラムを提供することを目的とする。
【課題を解決するための手段】
【０００７】
前記課題を解決するため、請求項１の発明に係る画像形成装置は、印刷情報を取得する取得手段と、該取得手段で取得した印刷情報に基づいて、用紙に対して印刷を実行する実行手段と、該実行手段で印刷を実行する際に、印刷に使用する用紙の表面および裏面の少なくとも一方から紙紋情報を読取る読取手段と、前記実行手段による印刷実行後に、前記印刷情報に関する情報と関連付けして前記紙紋情報を格納する格納手段と、該格納手段に格納されている前記紙紋情報と、次回に印刷を実行する際に使用する用紙について前記読取手段で読み取られる他の紙紋情報との一致、不一致を判定する判定手段と、前記取得手段で取得されて次回に印刷する印刷情報に基づいて印刷を実行する際に、前記判定手段で前記両紙紋情報が一致すると判定された場合には、前記格納手段に格納されている前記印刷情報に関する情報に基づいて、前記用紙に前記次回に印刷する印刷情報に基づいて印刷を実行し、前記両紙紋情報が不一致であると判定された場合には印刷を中止するように制御する制御手段とを備えることを特徴とする。
【０００８】
請求項２の発明に係る画像形成装置は、請求項１に記載の発明について、前記印刷情報に関する情報は、当該印刷情報による印刷の終端位置に関する情報または次回の印刷の開始位置に関する情報の少なくとも何れかを含むことを特徴とする。
【０００９】
請求項３の発明に係る画像形成システムは、請求項１または請求項２の何れかに記載の少なくとも１の画像形成装置と、通信手段を介して前記画像処理装置と接続される少なくとも１の情報処理装置とから構成されることを特徴とする。
【００１０】
請求項４の発明に係る処理プログラムは、印刷情報を取得する取得過程と、該取得過程で取得した印刷情報に基づいて、用紙に対して印刷を実行する実行過程と、印刷に使用する用紙の表面および裏面の少なくとも一方から紙紋情報を読取る読取過程と、前記実行過程による印刷実行後に、前記印刷情報に関する情報と関連付けして前記紙紋情報を格納する格納過程と、格納されている前記紙紋情報と、次回に印刷を実行する際に使用する用紙について前記読取過程で読み取られる他の紙紋情報との一致、不一致を判定する判定過程と、前記取得過程で取得されて次回に印刷する印刷情報に基づいて印刷を実行する際に、前記判定過程で前記両紙紋情報が一致すると判定された場合には、格納されている前記印刷情報に関する情報に基づいて、前記用紙に前記次回に印刷する印刷情報に基づいて印刷を実行し、前記両紙紋情報が不一致であると判定された場合には印刷を中止するように制御する制御過程とを演算手段で実行することを特徴とする。
【発明の効果】
【００１１】
本発明によれば以下の効果を奏することができる。
【００１２】
すなわち、請求項１に記載の発明によれば、本構成を有していない場合に比較して、紙紋情報の一致、不一致を判定して、用紙に識別子等を設けることなく、用紙の特定および追記位置を指定する画像形成装置を提供することができる。
【００１３】
請求項２に記載の発明によれば、本構成を有していない場合に比較して、用紙に識別子等を設けることなく、追記位置を指定する画像形成装置を提供することができる。
【００１４】
請求項３に記載の発明によれば、本構成を有していない場合に比較して、紙紋情報の一致、不一致を判定して、用紙に識別子等を設けることなく、用紙の特定および追記位置を指定する画像形成システムを提供することができる。
【００１５】
請求項４に記載の発明によれば、本構成を有していない場合に比較して、紙紋情報の一致、不一致を判定して、用紙に識別子等を設けることなく、用紙の特定および追記位置を指定する処理プログラムを提供することができる。
【図面の簡単な説明】
【００１６】
【図１】実施の形態に係る画像形成システムの概略構成を示す構成図である。
【図２】実施の形態に係る画像形成装置の概略構成を示すブロック図である。
【図３】実施の形態に係る情報処理装置の概略構成を示すブロック図である。
【図４】実施の形態に係る画像形成装置の機能構成例を示す機能ブロック図である。
【図５】実施の形態に係る画像形成システムの構成例を示す説明図である。
【図６】カルテの構成例を示す説明図である。
【図７】ドキュメントデータベースの構成例を示す表である。
【図８】紙紋データベースの構成例を示す表である。
【図９】受付処理の処理手順を示すフローチャートである。
【図１０】情報処理の処理手順を示すフローチャートである。
【図１１】印刷処理の処理手順を示すフローチャートである。
【図１２】紙紋スキャン処理の処理手順を示すフローチャートである。
【図１３】次用紙処理の処理手順を示すフローチャートである。
【図１４】紙紋存在確認処理の処理手順を示すフローチャートである。
【発明を実施するための形態】
【００１７】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１８】
図１から図１４を参照して、本発明についての実施の形態に係る画像形成システムＳ１、Ｓ２および画像形成装置ＰＲ１、ＰＲ２について説明する。
【００１９】
図１は、本実施の形態に係る画像形成システムＳ１およびＳ２の構成例を示す。
【００２０】
本実施の形態において、画像形成システムＳ１とＳ２は、同様の構成を有している。なお、画像形成システムＳ１とＳ２とは、ＬＡＮ等のネットワークＮで接続されている。
【００２１】
また、本実施の形態では、画像形成システムは、システムＳ１、Ｓ２の二つから構成されているが、これに限らず、例えば総合病院など、診療科目が複数あるような場合には、当該診療科目などに合わせた数のシステムを用意して、ネットワークＮにするようにしてもよい。
【００２２】
画像形成システムＳ１（Ｓ２）は、紙紋の読取装置（スキャナ装置：読取手段の一例）を備えた画像形成装置ＰＲ１（ＰＲ２）と、ケーブル等を介して接続されるパーソナルコンピュータ等で構成される情報処理装置ＰＣ１（ＰＣ２）とを備えている。
【００２３】
画像形成装置ＰＲ１（ＰＲ２）は、不揮発性メモリあるいはハードディスク装置等で構成される記憶装置に、ドキュメントＩＤ（印刷情報に関する情報の一例）、用紙をフィードする際に用紙の紙紋をスキャンする機能、情報処理装置ＰＣ１から入力される印刷情報に基づいて印刷処理を実施する機能、次回に印刷を開始する位置を保存する機能、ドキュメントＩＤ（印刷情報に関する情報の一例）と紙紋情報とを関連付けして保存する機能、紙紋情報を比較して同一性を確認する機能等を備えている。
【００２４】
また、画像形成装置ＰＲ１（ＰＲ２）は、不揮発性メモリあるいはハードディスク装置等で構成される記憶装置を備え、前記ドキュメントＩＤ、紙紋情報、次回の印刷開始位置情報等が格納されている。
【００２５】
なお、用紙の紙紋を読み取る機能は、画像形成装置ＰＲ１（ＰＲ２）にスキャナ装置を内蔵する場合であってもよいし、あるいは図３に示すようにスキャナ装置ＳＣ１を情報処理装置ＰＣ１（ＰＣ２）に外付けするようにしてもよい。
【００２６】
また、情報処理装置ＰＣ１（ＰＣ２）には、印刷情報毎に付与されるドキュメントＩＤ（印刷情報に関する情報の一例）が格納され、画像形成装置ＰＲ１（ＰＲ２）に印刷情報を送信する際に、対応するドキュメントＩＤを付加して送信するようになっている。
【００２７】
ここで、紙紋とは、紙の一枚毎に異なる凸凹等の情報であり、紙指紋と呼称される場合もある。そして、この紙紋が、人間の指紋のように用紙毎に違うという性質を利用して、紙自体を識別する技術などとして活用されている。
【００２８】
なお、紙紋の照合に関する技術については、本出願人の出願に係る特許第４２６５１８０号公報等に詳しい。
【００２９】
次に、図２のブロック図を参照して、画像形成装置ＰＲ１（ＰＲ２）の構成例について説明する。
【００３０】
図２に示すように、画像形成装置ＰＲ１（ＰＲ２）は、ネットワークＮへのデータの送受信を行う伝送インタフェース１０と、ネットワークＮへのデータの送受信を制御する伝送制御装置１１と、ネットワークＮおよびＵＳＢ等のローカルインターフェイスからのデータ入力を制御する入力制御装置１２と、キー入力手段と表示手段を備え、利用者操作受付やメッセージを表示する操作パネル２２と、操作パネル２２からのキー入力や操作パネル２２へのメッセージ表示を制御する操作制御装置２０と、ＣＰＵ等を備え、装置全体を制御するシステム制御装置２１と、印刷データをジョブ属性とともに蓄積するスプール制御装置３０と、ハードディスク積装置等で構成されデータを保管、管理する記憶装置（紙紋情報格納部）３０２と、印刷データを取り出して転写装置を利用して印刷する印刷制御装置３２と、ラスタライズされた印刷データを用紙に印刷する転写装置（画像形成部）３０１と、ページ記述言語（ＰＤＬ等）で記述されたデータをビットマップイメージに変換するラスタライザ３４と、画像形成装置自体が備えるスキャナ装置（紙紋読取装置）ＳＣ１（ＳＣ２）を制御するスキャン制御装置３５と、ケーブル等を介して外付けされるフラットベッド型のスキャナ装置（紙紋読取装置）ＳＣ１（ＳＣ２）と、スキャナ装置ＳＣ１（ＳＣ２）を制御するスキャン制御装置４０とから構成される。
【００３１】
なお、図２に示す例では、紙紋読取装置として、装置自体が備えるスキャナ装置ＳＣ１（ＳＣ２）と外付けされるフラットベッド型のスキャナ装置の両方を備える場合を示したが、これに限らず少なくとも一方のスキャナ装置を備える場合であってもよい。
【００３２】
次に、図３のブロック図を参照して、情報処理装置ＰＣ１（ＰＣ２）の構成例について説明する。
【００３３】
図３に示すように情報処理装置ＰＣ１（ＰＣ２）は、キーボード、マウス等のポインティングデバイスを備え、文字、座標位置等を入力する入力装置５１、ディスプレイ装置等を備え、文字、図形を表示する表示装置５２、ＣＰＵ等を備え、各種の演算処理を行う処理装置５３、スプーラ、ポートモニタ等を備え、印刷ジョブの蓄積、取り出し印刷を行う印刷制御装置５４、カルテ等のドキュメントデータをドキュメントＩＤとペアで保存するドキュメントデータベース５５、ネットワークへのデータの送受信を制御する伝送インターフェイス５６とを備える。
【００３４】
次に、図４の機能ブロック図を参照して、本実施の形態に係る画像形成装置ＰＲ１（ＰＲ２）の機能構成について説明する。
【００３５】
画像形成装置ＰＲ１（ＰＲ２）は、情報処理装置ＰＣ１（ＰＣ２）から印刷情報を取得する印刷情報取得部３００（取得手段の一例）と、取得した印刷情報に基づいて、用紙（カルテ等）に対して印刷を実行する画像形成部３０１（実行手段の一例）と、画像形成部３０１で印刷を実行する際に、印刷に使用する用紙の表面および裏面の少なくとも一方から紙紋情報を読取る前出のスキャナ装置等で構成される紙紋読取装置ＳＣ１（ＳＣ２）（読取手段の一例）を備えている。
【００３６】
また、画像形成部３０１による印刷実行後に、印刷情報に関する情報（ドキュメントＩＤ：例えばカルテ番号等）と関連付けして紙紋情報を格納する不揮発性メモリ等で構成される紙紋情報格納部３０２（格納手段の一例）と、格納されている紙紋情報と、次回に印刷を実行する際に使用する用紙（カルテ等）について紙紋読取装置ＳＣ１で読み取られる他の紙紋情報との一致、不一致を判定する紙紋情報判定部３０３（判定手段の一例）を備えている。
【００３７】
さらに、紙紋読取装置ＳＣ１（ＳＣ２）で取得されて次回に印刷する印刷情報に基づいて印刷を実行する際に、紙紋情報判定部３０３で前記両紙紋情報が一致すると判定された場合には、紙紋情報格納部３０２に格納されている印刷情報に関する情報に基づいて、前記用紙に次回に印刷する印刷情報に基づいて印刷を実行し、前記両紙紋情報が不一致であると判定された場合には印刷を中止するように制御するマイクロコンピュータ等で構成される印刷制御部３０４（制御手段の一例）を備える。
【００３８】
なお、印刷情報に関する情報としてのドキュメントＩＤは、印刷情報による印刷の終端位置に関する情報または次回の印刷の開始位置に関する情報の少なくとも何れかを含むようにしてもよい。
【００３９】
次に、図５および図６を参照して、用紙を医療用カルテ１００として追記印刷する場合の例について説明する。
【００４０】
図５には、病院の受付に画像形成システムＳ１を、例えば検査科に画像形成システムＳ２を設けた例を示す。
【００４１】
この例では、例えば患者が受付で、健康保険証等を提示して診療を受けたい内容等を病院スタッフに伝えると、病院スタッフは情報処理装置ＰＣ１を操作して、住所、氏名、年齢、受診すべき診療科目等の情報を入力する。
【００４２】
次いで、紙紋読取装置ＳＣ１によってカルテ用の用紙１００ａの紙紋を取得する。これにより、情報処理装置ＰＣ１では、カルテ用の用紙１００ａの紙紋情報が印刷情報に関する情報（ドキュメントＩＤ）と関連付けされて情報処理装置ＰＣ１に格納される。
【００４３】
続いて、カルテ用の用紙１００ａを画像形成装置ＰＲ１にセットして、情報処理装置ＰＣ１から印刷を指示する操作を行う。これにより、カルテ用の用紙１００ａには前述の入力内容が印刷内容イとして印刷される。
【００４４】
また、カルテ用の用紙１００ａの紙紋情報と関連付けされた印刷情報に関する情報（ドキュメントＩＤ：例えばカルテ番号等）は、ネットワークＮを介して検査科の画像形成システムＳ２に送信される。
【００４５】
そして、患者は印刷されたカルテ１００ａを持って検査科に行き、診療目的に対応した検査等を受ける。
【００４６】
検査が終了すると、検査結果や医師による診断結果、投薬指示等が病院スタッフにより情報処理装置ＰＣ２に入力される。そして、患者が持参したカルテ１００ａに追記印刷を行う前に、紙紋読取装置ＳＣ２によってカルテ用の用紙１００ａの紙紋を取得する。
【００４７】
次いで、情報処理装置ＰＣ２は、ネットワークＮを介して情報処理装置ＰＣ１から送られてきた印刷情報に関する情報（ドキュメントＩＤ）に関連付けされた紙紋情報と、紙紋読取装置ＳＣ２によって取得された紙紋情報とを比較し、一致すると判定された場合には、前述の検査結果等に関する印刷を実施する。
【００４８】
この際に、ドキュメントＩＤにより、今回（システムＳ１から見れば次回）の印刷を開始する位置ＳＰが指示されているので、情報処理装置ＰＣ２は、当該印刷開始位置ＳＰから印刷を開始する。
【００４９】
これにより、追記印刷されたカルテ１００ｂには、前回印刷された印刷内容イに加えて、検査結果等に関する印刷内容ロが正しい位置に印刷される。
【００５０】
また、紙紋情報が一致しないと判定された場合には、カルテの取り違えや、患者が別人である虞があるため、印刷処理の実施を中止する。
【００５１】
なお、カルテ１００ａ、１００ｂにおいて、紙紋を取得する位置は、特には限定されないが、例えば図４に示すように、カルテ１００ａ、１００ｂの用紙の下端部２００ａ、２００ｂとしてよい。
【００５２】
このように、本発明によれば、紙紋を取得する部位２００ａ、２００ｂを設けるだけでよく、従来のように特別なマーキング情報（バーコードや穿孔等）を印刷したりする手間が省かれる。また、特別なマーキング情報（バーコードや穿孔等）を印刷したり孔を開ける部位を設ける必要がないので、カルテ１００ａ、１００ｂの印刷面積が有効活用される。
【００５３】
次に、図７および図８を参照して、ドキュメントデータベースと紙紋データベースの構成例について簡単に説明する。
【００５４】
図７に示すドキュメントデータベースの例は、ドキュメントＩＤ（例えば、Ｄ１０１、Ｄ２０７等の文字列）とドキュメントデータ（カルテデータ等：例えば、ＫＡＲ０５．ＤＯＣ、ＫＡＲ０７．ＤＯＣ）との対で構成されている。
【００５５】
図８に示す紙紋データベースの例における各レコードは、用紙を一意に特定するドキュメントＩＤ（例えば、Ｄ１０１等）と用紙から採取された紙紋データ（例えば、Ｐ０１．ｊｐｇ等の画像情報）およびデータを記載するフィールドの用紙上の位置、フィールドの幅、高さと追加印刷の開始行の情報で構成される。
【００５６】
次に、図９〜図１４のフローチャートを参照して、本実施の形態に係る画像形成システムＳ１（Ｓ２）において実行される処理の処理手順について説明する。
【００５７】
まず、図９のフローチャートに基づいて、画像形成システムＳ１の画像形成装置ＰＲ１（図５等参照）における受付処理の処理手順について説明する。
【００５８】
ステップＳ１０では、カルテ番号、住所、氏名等についてカルテの新規登録を行ってからステップＳ１１に移行する。
【００５９】
ステップＳ１１では、紙紋読取装置ＳＣ１によってカルテ用紙のスキャンを実行してステップＳ１２に移行する。
【００６０】
ステップＳ１２では、スキャンデータに基づいて紙紋データを抽出（採取）してステップＳ１３に移行する。
【００６１】
ステップＳ１３では、採取した紙紋データを紙紋データベースに登録して処理を終了する。
【００６２】
次に、図１０のフローチャートに基づいて、画像形成システムＳ１の情報処理装置ＰＣ１（図５等参照）における情報処理の処理手順について説明する。
【００６３】
ステップＳ２０では、ドキュメントＩＤを入力してステップＳ２１に移行する。
【００６４】
ステップＳ２１では、ドキュメントデータベースから入力したドキュメントＩＤを有するドキュメントデータを検索、取得してステップＳ２２に移行する。
【００６５】
ステップＳ２２では、該当データありか否かが判定され、「Ｎｏ」の場合にはステップＳ２３でエラー表示を行ってステップＳ２０に戻る。
【００６６】
一方、ステップＳ２２で「Ｙｅｓ」の場合にはステップＳ２４に移行して、取得または新規作成したドキュメントを表示してステップＳ２５に進む。
【００６７】
ステップＳ２５では、表示されているドキュメントにデータ入力を行ってステップＳ２６に移行する。
【００６８】
ステップＳ２６では、印刷指示を行ってステップＳ２７に移行し、ドキュメントＩＤと追記データを印刷データへ送信すると共にドキュメントデータベースを更新して処理を終了する。
【００６９】
次に、図１１のフローチャートに基づいて、画像形成システムＳ２の画像形成装置ＰＲ２（図５等参照）における印刷処理の処理手順について説明する。
【００７０】
ステップＳ３０では、画像形成システムＳ１からドキュメントＩＤと印刷データを受信してステップＳ３１に移行する。
【００７１】
ステップＳ３１では、紙紋データベースにより、対応するドキュメントＩＤを有する紙紋レコード情報を検索、取得してステップＳ３２に移行する。
【００７２】
ステップＳ３２では、該当データがあるか否かが判定され、「Ｎｏ」の場合にはステップＳ４３に移行して、印刷をキャンセルして処理を終了する。
【００７３】
一方、ステップＳ３２で「Ｙｅｓ」と判定された場合には、ステップＳ３３のサブルーチンに移行して紙紋スキャン処理を実行する。
【００７４】
ここで、図１２のフローチャートを参照して、紙紋スキャン処理の処理手順について述べる。
【００７５】
紙紋スキャン処理が開始されると、ステップＳ５０では、画像形成装置ＰＲ２の紙紋読取装置ＳＣ２において用紙トレイから用紙をフィードしてステップＳ５１に移行する。
【００７６】
ステップＳ５１では、用紙をスキャンして紙紋を採取して図１１のメインルーチンにリターンする。
【００７７】
次いで、ステップＳ３５では、紙紋スキャン処理でスキャンした紙紋と、ステップＳ３１で取得した紙紋とを比較し、ステップＳ３６で一致するか否かが判定される。
【００７８】
そして、判定結果が「Ｎｏ」の場合にはステップＳ３７に移行して、正しい用紙（カルテ）の要求メッセージを出力してステップＳ３８に移行する。
【００７９】
ステップＳ３８では、用紙セットを検知してステップＳ３３に戻る。
【００８０】
一方、ステップＳ３６で「Ｙｅｓ」と判定された場合には、ステップＳ３９に移行して、印刷データに基づいて、用紙の追加印刷位置から印刷を実行してステップＳ４０に移行する。
【００８１】
ステップＳ４０では、行数オーバか否かが判定され、「Ｎｏ」の場合には、次回の追加印刷位置を紙紋データベースに保存、登録して処理を終了する。
【００８２】
一方、ステップＳ４０で「Ｙｅｓ」と判定された場合には、ステップＳ４１の次用紙処理にサブルーチンに移行する。
【００８３】
ここで、図１３のフローチャートを参照して、次用紙処理の処理手順について説明する。
【００８４】
ステップＳ７０では、新規用紙要求メッセージを出力してステップＳ７１に移行する。
【００８５】
ステップＳ７１では、用紙セットを検知してステップＳ７２に移行し、用紙をスキャンして紙紋を取得してステップＳ７３に移行する。
【００８６】
ステップＳ７３では、印刷フィールドの先頭から印刷を実行してステップＳ７４に移行する。
【００８７】
ステップＳ７４では、紙紋データベースにドキュメントＩＤと紙紋データとの対を保存してメインルーチンにリターンする。
【００８８】
次いで、ステップＳ４２に移行して、次回の追加印刷開始位置を紙紋データベースに保存して処理を終了する。
【００８９】
なお、図１１に示す処理に加えて、図１４のフローチャートに示す紙紋存在確認処理を実行するようにしてもよい。
【００９０】
紙紋存在確認処理は、図１４に示すように、ステップＳ６０において用紙から取得した紙紋が紙紋データベースへ登録されているか検索し、ステップＳ６１で用紙をスキャンし、紙紋情報を取得する処理である。
【００９１】
以上述べたように、本実施の形態に係る画像形成システムＳ１、Ｓ２によれば、誤った用紙（カルテ等）、用紙方向、用紙面に誤って追記印刷するといった人為的なミスが防止される。
【００９２】
また、少なくとも一面分の紙紋を採取することにより、用紙のセット（表裏、向き）が間違っていることが検知され、用紙を正しくセットするよう通知あるいは用紙のセット内容に対応して、印刷順序を変更（表→裏、裏→表、１８０度回転など）して正しい印刷面、方向とされる。
【００９３】
また、追記印刷を実現する上で特別なマーキング情報（パンチ穴、バーコード印刷等）が不要となるため、本来印刷されるべきデータだけが印刷され、また印刷品位を保って追記印刷される。
【００９４】
また、紙紋データベースの格納情報を別途設けるサーバに配置することにより、複数の画像形成装置ＰＲ１、ＰＲ２から共通利用されると共に、画像形成装置ＰＲ１、ＰＲ２本体にハードディスク装置等のデータ保管用の記憶域が不要となり、画像形成装置のコストが低減される。
【００９５】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【００９６】
また、プログラムを用いる場合には、ネットワークを介して提供し、或いはＣＤ−ＲＯＭ等の記録媒体に格納して提供することが可能である。
【００９７】
即ち、画像処理プログラムを含む所定のプログラムを記録媒体としてのハードディスク等の記憶装置に記録する場合に限らず、当該所定のプログラムを次のようにして提供することも可能である。
【００９８】
例えば、所定のプログラムをＲＯＭに格納しておき、ＣＰＵが、この所定のプログラムをこのＲＯＭから主記憶装置へローディングして実行するようにしてもよい。
【００９９】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１００】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１０１】
本発明による画像形成装置、画像形成システムおよび処理プログラムは、スキャナ機能を備えたプリンタや複合機等に適用することができる。
【符号の説明】
【０１０２】
Ｓ１、Ｓ２  画像形成システム
ＰＣ１、ＰＣ２  情報処理装置
ＰＲ１、ＰＲ２  画像形成装置
１０  伝送インターフェイス
１１  伝送制御装置
１２  入力制御装置
２０  操作制御装置
２１  システム制御装置
２２  操作パネル
３０  スプール制御装置
３２  印刷制御装置
３４  ラスタライザ
３５  スキャン制御装置
４０  スキャン制御装置
５１  入力装置
５２  表示装置
５３  処理装置
５４  印刷制御装置
５５  ドキュメントデータベース
５６  伝送インターフェイス
１００  医療用カルテ
２００ａ  下端部
３００  印刷情報取得部
３０１  画像形成部
３０２  紙紋情報格納部
３０３  紙紋情報判定部
３０４  印刷制御部
Ｎ  ネットワーク
【図１】
2012187725.tif 000003
【図２】
2012187725.tif 000004
【図３】
2012187725.tif 000005
【図４】
2012187725.tif 000006
【図５】
2012187725.tif 000007
【図６】
2012187725.tif 000008
【図７】
2012187725.tif 000009
【図８】
2012187725.tif 000010
【図９】
2012187725.tif 000011
【図１０】
2012187725.tif 000012
【図１１】
2012187725.tif 000013
【図１２】
2012187725.tif 000014
【図１３】
2012187725.tif 000015
【図１４】
2012187725.tif 000016